(57)【要約】【課題】安価な部材を用いて、分岐バーを主幹バーの任意位置に接続できるようにし、電気機器の組み替え作業を容易にする。【解決手段】キュービクルや分電盤等において、主幹バー２に分岐バー３を接合し、分岐バー３の反対側から押え部材６を主幹バー２に接合する。主幹バー２を貫通しないネジ部材７を用いて、押え部材６を分岐バー３に締め付け、分岐バー３と押え部材６との間に主幹バー２を挟み付ける。ネジ部材７は、主幹バー２から幅方向へ離れた位置に、押え部材６および分岐バー３を貫通するボルト８と、ボルト８に螺合するナット９とを備える。押え部材６を合成樹脂で成形し、ボルト８の頭部をインサート成形により押え部材６に回り止めする。【選択図】図１
2015126610.tif 000002
【特許請求の範囲】
【請求項１】
電力を主幹バーから分岐バーを介して電気機器に供給する盤において、
前記主幹バーに前記分岐バーを接合し、該分岐バーの反対側から押え部材を前記主幹バーに接合し、該主幹バーを貫通しないネジ部材で前記押え部材を前記分岐バーに締め付け、該分岐バーと前記押え部材との間に前記主幹バーを挟み付けたことを特徴とする充電部構造。
【請求項２】
前記ネジ部材が、前記主幹バーからその幅方向へ離れた位置に、前記押え部材および前記分岐バーを貫通するボルトと、該ボルトに螺合するナットとを備えている請求項１記載の充電部構造。
【請求項３】
前記ボルトが、合成樹脂製の前記押え部材にインサート成形されている請求項２記載の充電部構造。
【請求項４】
前記押え部材が金属板を折り曲げて形成され、前記ボルトの頭部が前記押え部材の側壁によって回り止めされている請求項２記載の充電部構造。
【請求項５】
前記押え部材が、前記主幹バーの幅方向両側面に係合する係合部を備えている請求項１〜４の何れか一項に記載の充電部構造。
【発明の詳細な説明】
【技術分野】
【０００１】
本発明は、電気機器を収納するキュービクルや分電盤等の盤における充電部の構造に関する。
【背景技術】
【０００２】
受電設備であるキュービクルでは、従来、例えば図３に示すような充電部構造５０が知られている。この充電部構造５０は、主幹ブレーカ（図示略）から延びる主幹バー５１に複数のタップ穴５２を等間隔で開け、タップ穴５２に分岐バー５３をネジ５４で接続し、電力を主幹バー５１から分岐バー５３を介して複数の分岐ブレーカ５５に供給するように構成されている。
【０００３】
なお、特許文献1には、主幹バーを分岐ブレーカの裏側に配置した分電盤が記載されている。特許文献２には、主幹バーと分岐バーのどちらか一方に長孔を形成し、他方にタップ穴を開け、長孔に通したネジをタップ穴に締め付けることで、主幹バーに分岐バーを接続する充電部構造が記載されている。
【先行技術文献】
【特許文献】
【０００４】
【特許文献１】特開２００１−１６９４１６号公報
【特許文献２】特開２００９−１１８５９３号公報
【発明の概要】
【発明が解決しようとする課題】
【０００５】
ところが、図３に示す従来の充電部構造５０によると、主幹バー５１にタップ穴５２が等間隔で開けられているので、サイズの違う分岐ブレーカ５５に組み替えたり、サイズの違う分岐ブレーカ５５を追加したりする場合に、タップ穴５２が分岐バー５３のネジ挿通孔と一致しなくなるため、主幹バー５１を別のものに取り替えたり、既存の主幹バー５１にタップ穴５２を追加で加工したりする必要があった。
【０００６】
また、タップ穴５２にネジ５４を締め付ける構造であるため、特許文献１に示されているように、主幹バーを分岐ブレーカの裏側に配置した場合などに、タップ穴が見えにくくなり、接続作業に手間がかかる問題点もあった。主幹バーからタップ穴をなくし、背面がプラグインユニット式となったブレーカを使用することも考えられるが、盤全体のコストが高くつく。なお、特許文献２の充電部構造は、長穴の範囲内で分岐バーの接続位置を調節可能であるが、そのために既存の主幹バーを長穴付きの主幹バーに交換しなければならないという無駄があった。
【０００７】
本発明の目的は、安価な部材を用いて、分岐バーを主幹バーの任意位置に接続できる充電部構造を提供することにある。
【課題を解決するための手段】
【０００８】
上記課題を解決するために、本発明は、次のような充電部構造を提供する。
（１）電力が主幹バーから分岐バーを介して電気機器に供給される盤において、主幹バーに分岐バーを接合し、分岐バーの反対側から押え部材を主幹バーに接合し、主幹バーを貫通しないネジ部材で押え部材を分岐バーに締め付け、分岐バーと押え部材との間に主幹バーを挟み付けたことを特徴とする充電部構造。
【０００９】
（２）ネジ部材が、主幹バーからその幅方向へ離れた位置に、押え部材および分岐バーを貫通するボルトと、該ボルトに螺合するナットとを備えていることを特徴とする上記１に記載の充電部構造。
【００１０】
（３）押え部材が合成樹脂で成形され、ボルトがインサート成形により押え部材に回り止めされていることを特徴とする上記２に記載の充電部構造。
【００１１】
（４）押え部材が金属板を折り曲げて形成され、ボルトの頭部が押え部材の側壁によって回り止めされていることを特徴とする上記２に記載の充電部構造。
【００１２】
（５）押え部材が、主幹バーの幅方向両側面に係合する係合部を備えていることを特徴とする上記１〜４の何れか一つに記載の充電部構造。
【発明の効果】
【００１３】
本発明の充電部構造によれば、主幹バーを分岐バーと押え部材との間に挟み付けたので、安価な部材を用いて、分岐バーを主幹バーの任意位置に接続でき、電気機器の組み替え作業が容易になるという効果がある。
【図面の簡単な説明】
【００１４】
【図１】本発明による一実施形態の充電部構造を示す断面図である。
【図２】図１とは異なる押え部材を用いた充電部構造を示す断面図である。
【図３】従来の充電部構造を示す正面図である。
【発明を実施するための形態】
【００１５】
以下、本発明の実施形態を図面に基づいて説明する。図１に示す充電部構造１は、キュービクルの筐体（図示略）内側において、電力を主幹バー２から分岐バー３を介して電気機器としての分岐ブレーカ４に供給するように構成されている。主幹バー２は分岐ブレーカ４の裏側に配置され、主幹バー２の一端に主幹ブレーカ（図示略）が接続され、主幹バー２の複数個所に分岐バー３を介して分岐ブレーカ４が接続されている。なお、主幹バー２の位置は特に限定されず、分岐ブレーカ４と同一の平面内に主幹バー２を配置することも可能である。
【００１６】
分岐バー３はコ字形に折り曲げられ、その一端３ａが分岐ブレーカ３の電源側端子５に接続され、他端３ｂが主幹バー２の裏面に接合されている。他端３ｂと反対側において、主幹バー２の表面には押え部材６が接合されている。押え部材６は、合成樹脂材料で主幹バー２の幅方向に長い短冊形に成形され、その両端が主幹バー２を貫通しない２組のネジ部材７によって分岐バー３に締め付けられている。分岐バー３は、コ字形のものに限定されず、クランク状に折り曲げたものを使用することもできる。
【００１７】
ネジ部材７は、主幹バー２の幅方向両側面から離れた位置に、押え部材６および分岐バー３を貫通するボルト８と、ボルト８の先端部に螺合するナット９とを備えている。ボルト８は、基端部が押え部材６にインサート成形され、先端部が分岐バー３のボルト挿通孔１０に挿通されている。押え部材６には主幹バー２が嵌合する凹部１１が形成され、凹部１１に主幹バー２の幅方向両側面に係合する係合部１２が設けられている。そして、２組のネジ部材７を締め付けることにより、主幹バー２が分岐バー３と押え部材６との間に挟み付けられている。
【００１８】
したがって、この実施形態の充電部構造１によれば、ネジ部材７を緩めた状態で、分岐バー３を主幹バー２の長手方向へスライドし、主幹バー２の任意位置に配置することができる。このため、サイズの違う分岐ブレーカ４に組み替えたり、サイズの違う分岐ブレーカ４を追加したりする場合に、主幹バー２に対する分岐バー３の接続位置を簡単に調節することができる。また、主幹バー２を挟み付ける構造であるため、分岐ブレーカ４の背面側に主幹バー２を配置した場合でも、従来のようなタップ穴の位置確認が不要となり、接続作業を分岐ブレーカ４の前面側から容易に行うことができる。
【００１９】
特に、ネジ部材７のボルト８が押え部材６にインサート成形されているため、主幹バー２と分岐ブレーカ４との間隔が狭い場合に、ボルト８を脱落させたり空転させたりすることなく、ナット９を主幹バー２の背後で緩めたり締めたりすることができる。また、押え部材６の凹部１１に主幹バー２の側面に係合する係合部１２を設けたので、分岐バー３の接続にあたり、押え部材６を主幹バー２の幅方向に位置決めした状態で、ボルト８に分岐バー３の挿通孔１０を通して、ナット９を容易に締め付けることができる。
【００２０】
図２に示す充電部構造２１では、押え部材２６が金属板によって断面コ字形に形成されている。この押え部材２６には、主幹バー２の表面に接合する底壁２６ａと、相対向する一対の側壁２６ｂとが設けられている。ネジ部材２７は、主幹バー２からその幅方向へ離間した位置にボルト２８とナット２９とを備え、ボルト２８の頭部２８ａが押え部材２６の側壁２６ｂにより回り止めされている。ボルト２８の軸部２８ｂは、押え部材２６の底壁２６ａに形成されたボルト挿通孔３０と分岐バー３のボルト挿通孔１０を貫通し、先端にナット２９が螺合されている。
【００２１】
この充電部構造２１によれば、板金加工によって押え部材２６を安価に製作できるとともに、分岐バー３を主幹バー２の長手方向へスライドして、分岐ブレーカ４の組み替え作業を容易に行うことができる。また、ボルト２８が押え部材２６の側壁１６ｂによって回り止めされているので、ボルト２８を空転させることなく、ナット２９を容易に締め緩めすることもできる。図１の押え部材６と同様に、押え部材２６の底壁１６ａに係合部を突設し、押え部材２６を主幹バー２の幅方向へ位置決めできるようにしてもよい。
【００２２】
なお、本発明の充電部構造は、キュービクルに限定されるものではなく、分電盤、配電盤、操作盤など、電気機器を収納する各種の盤に適用することができる。また、図１に示した充電部構造１において、樹脂製の押え部材６にナット９をインサート成形し、ボルト８を主幹バー２の背後からナット９に締め付けるように構成してもよい。その他、本発明は、上記実施形態に限定されるものではなく、発明の趣旨を逸脱しない範囲で、各部の形状や構成を適宜変更して実施することも可能である。
【符号の説明】
【００２３】
１，２１    充電部構造
２    主幹バー
３    分岐バー
４    分岐ブレーカ
６，２６    押え部材
７，２７    ネジ部材
８，２８    ボルト
９，２９    ナット
１２    係合部
【図１】
2015126610.tif 000003
【図２】
2015126610.tif 000004
【図３】
2015126610.tif 000005